(57)【特許請求の範囲】
【請求項１】
第１面および前記第１面とは反対側の第２面と、前記第１面から前記第２面へと貫通する軸孔と、前記軸孔から外周に向かう径方向および前記径方向に交差する周方向と、前記軸孔から前記径方向外側に延びる複数のスリットとを含む抜け止めワッシャにおいて、
前記外周は、直線部分を含み、
前記スリットの前記径方向外側に位置する終端には、前記スリットの前記周方向の離間寸法よりも大きい寸法を有するとともに、前記第１面から前記第２面へと貫通する端末孔が形成され、
前記スリットは、前記端末孔と前記軸孔との途中に、前記端末孔から前記軸孔へ向けて幅が拡がる拡幅部を有し、
前記拡幅部は前記軸孔に隣接するように配置してあり、
前記軸孔と前記スリットとが前記拡幅部を介して連通するとともに、前記スリットと前記端末孔とが連通することを特徴とする前記抜け止めワッシャ。
【請求項２】
前記第１面から前記第２面へと傾斜する傾斜部が前記軸孔に隣接するように形成され、
前記スリットにおいて、前記傾斜部を形成した部位のみに前記拡幅部を配置してある請求項１に記載の抜け止めワッシャ。
【請求項３】
前記直線部分は、複数形成され、少なくとも互いに平行した一対の前記直線部分を含み、
複数の前記直線部分は、互いに等しい長さ寸法を有する請求項１または２記載の抜け止めワッシャ。
【請求項４】
前記軸孔には、ネジ山部およびネジ谷部が形成された締結部材の軸部が挿入され、前記軸孔の直径は、前記ネジ山部によって形成された外径および前記ネジ谷部によって形成された内径よりも小さい請求項１〜３のいずれかに記載の抜け止めワッシャ。
【請求項５】
前記端末孔は、前記径方向へ沿って延びる長円形または楕円形に形成してある請求項１〜４のいずれかに記載の抜け止めワッシャ。
【発明の詳細な説明】
【技術分野】
【０００１】
この発明は、ネジ等の締結部材が被締結部材のパネル等から脱落するのを防止する抜け止めワッシャに関する。
【背景技術】
【０００２】
従来、ネジの脱落を防止する抜け止め部材として、ネジにはめ込まれる抜け止めワッシャが知られている。例えば、特許文献１によれば、抜け止めワッシャは、その中心の貫通孔によって形成されたネジに挿入するための嵌め込み部と、嵌め込み部から放射線状に延びるスリット部とを有する。ネジからワッシャが外れないように、嵌め込み部の直径はネジの直径以下とし、嵌め込み部から延びるスリット部を形成することによって、ワッシャに可撓性を付与し、嵌め込み部をネジに挿入することができ、かつ、ネジからワッシャが外れないようにすることができる。
【先行技術文献】
【特許文献】
【０００３】
【特許文献１】特開２００１−５０２３６号公報（ＪＰ２００１−５０２３６Ａ）
【発明の概要】
【発明が解決しようとする課題】
【０００４】
上記のような抜け止めワッシャにおいて、その外周は、ほぼ円形にされている。このようなワッシャは、その外周を挟持して回転させることが困難であり、ネジから外し難い。ネジから外す場合には、抜け止めワッシャをニッパー等で切断するか、抜け止めワッシャをペンチ等で強く挟持して回転させていた。
【０００５】
この発明は、締結部材から容易に外すことができる抜け止めワッシャを提供することを課題とする。
【課題を解決するための手段】
【０００６】
この発明は、第１面および前記第１面とは反対側の第２面と、前記第１面から前記第２面へと貫通する軸孔と、前記軸孔から外周に向かう径方向および前記径方向に交差する周方向と、前記軸孔から前記径方向外側に延びる複数のスリットとを含む抜け止めワッシャの改良にかかわる。
【０００７】
この発明は、前記抜け止めワッシャにおいて、前記外周は、直線部分を含み、前記スリットの前記径方向外側に位置する終端には、前記スリットの前記周方向の離間寸法よりも大きい寸法を有するとともに、前記第１面から前記第２面へと貫通する端末孔が形成され、前記スリットは、前記端末孔と前記軸孔との途中に、前記端末孔から前記軸孔へ向けて幅が拡がる拡幅部を有し、前記拡幅部は前記軸孔に隣接するように配置してあり、前記軸孔と前記スリットとが前記拡幅部を介して連通するとともに、前記スリットと前記端末孔とが連通することを特徴とする。
【発明の効果】
【０００８】
この発明において、抜け止めワッシャは、外周に直線部分を含むこととしたので、外周を挟持して回転させやすく、容易に締結部材から外すことができる。
【図面の簡単な説明】
【０００９】
【図１】抜け止めワッシャの使用状態の説明図。
【図２】抜け止めワッシャの斜視図。
【図３】抜け止めワッシャの平面図。
【図４】図３のＩＶ−ＩＶ線断面図。
【図５】抜け止めワッシャの使用状態の一部断面図。
【図６】抜け止めワッシャの他の例を示す平面図。
【図７】抜け止めワッシャの他の例を示す平面図。
【発明を実施するための形態】
【００１０】
図１〜５は、この発明の実施形態の一例である抜け止めワッシャ１を示したものである。図１は抜け止めワッシャ１の使用状態の説明図、図２は抜け止めワッシャ１の斜視図、図３は抜け止めワッシャの平面図、図４は図３のＩＶ−ＩＶ線断面図、図５は抜け止めワッシャ１の使用状態を示す図の一部断面図である。
【００１１】
図１に示したように、抜け止めワッシャ１は、好ましくは金属の薄い板状部材によって形成され、第１面１１と、その反対側の第２面１２とを有する。抜け止めワッシャ１は、被締結部材であるパネル２を介して締結部材であるネジ３に挿入され、ネジ３によってパネル２が、筐体本体４に固定される。パネル２には、ネジ３の軸部３１が挿入可能な開孔２１が形成され、筐体本体４には、ネジ溝４１が形成され、ネジ３が螺合可能とされている。
【００１２】
図２および３に示したように、抜け止めワッシャ１は、外周１３と、その内側であって第１面１１から第２面１２へと貫通する円形の軸孔１４と、軸孔１４から径方向外側、すなわち外周１３側へと放射状に延びる複数のスリット１５とを含む。スリット１５は、第１面１１から第２面１２へと貫通し、この実施形態において点対称に６本形成されている。スリット１５の外周１３側に位置する終端１５ａには、円形の端末孔１６が形成されている。端末孔１６の直径Ａ１は、スリット１５の周方向の離間寸法Ａ２よりも大きくされている。スリット１５は、放射状に延びているから、終端１５ａに向かって隣接するスリット１５間の離間寸法が大きくなるが、端末孔１６が形成された部分では、その離間寸法が小さくされる。
【００１３】
上記のような抜け止めワッシャ１は、スリット１５と隣接する端末孔１６を結ぶ仮想線１８によってほぼ扇状の可撓領域１９が画定され、仮想線１８を基端として第１面１１または第２面１２に向かって変形する可撓領域１９が可撓性（バネ性）を有する。抜け止めワッシャ１は、端末孔１６を形成した場合には、端末孔１６を形成しない場合に比べて、変形の基端となる周方向の離間寸法が小さくなるので、その分、可撓領域１９の可撓性を大きくすることができる。
【００１４】
軸孔１４の近傍には、第１面１１から第２面１２へと傾斜するように傾斜部１７が形成されている。詳細には、傾斜部１７は、軸孔１４と外周１３との間であって、軸孔１４に沿って形成される。図３〜５に示したように、軸孔１４の直径Ａ３は、ネジ３の頭部３２の直径Ｄ１よりも小さく、軸部３１のネジ山部３３によって形成される外径Ｄ２、および、ネジ谷部３４によって形成される内径Ｄ３よりも小さくされている。したがって、この軸部３１に抜け止めワッシャ１を挿入した際には、抜け止めワッシャ１の可撓領域１９が第２面１２に向かって撓んで変形する。特に、ネジ山部３３を越えるときには、その変形量は大きくなる。また、軸孔１４には挿入方向に沿ってその径が小さくなるように傾斜部１７が形成されているから、第１面１１から第２面１２に向かって軸部３１が挿入される場合には、抜け止めワッシャ１が撓みやすく、挿入しやすい。軸部３１に挿入された抜け止めワッシャ１は、ネジ３からの抜ける方向においては、ネジ山部３３に軸孔１４が引っかかり、抜け難い。この実施形態では、軸孔１４の直径Ａ３は、軸部３１の外径Ｄ２および内径Ｄ３よりも小さくしているが、少なくとも外径Ｄ２よりも小さければよい。
【００１５】
ネジ３の軸部３１には、パネル２を介して抜け止めワッシャ１が取り付けられているから、ネジ３を筐体本体４に取り付ける前後において、ネジ３がパネル２から抜け落ちるのを防止することができる。また、抜け止めワッシャ１によってパネル２にネジ３が固定されている状態で、ネジ３の頭部３２を掴んで、パネル２ごと持ち上げたり、引っ張ったりすることがあるが、このように持ち上げたりしても、抜け止めワッシャ１が外れ難いので、不用意にパネル２とネジ３とが外れてしまうことがない。さらに、ネジ３の頭部３２にパネル２を接触させて抜け止めワッシャ１を軸部３１に取り付けた場合には、ネジ３とパネル２との間のがたつきを防止することができ、この取付状態を安定的に維持することができる。
【００１６】
抜け止めワッシャ１の外周１３は、少なくとも一辺の直線部分を有している。この実施形態において、外周１３は、３対の互いに平行する直線部分５０によって形成されている。直線部分５０は互いにその長さ寸法が等しくされ、外周１３全体において正六角形に形成されている。端末孔１６は、抜け止めワッシャ１の中心Ｏと、外周１３に形成された角５１とを結ぶ線上に形成される。したがって、端末孔１６と外周１３との離間距離を比較的大きくすることができ、端末孔１６が形成された部分の外周側において、その強度が低下するのを防止することができる。
【００１７】
図３に示したように、抜け止めワッシャ１の外周１３は、その直径Ａ４が約２０ｍｍとされている。直径とは、その中心Ｏを通り一方の角５１から他方の角５１までの離間距離である。この実施形態で、角５１は丸められ、円弧状に加工されている。
【００１８】
上記のような抜け止めワッシャ１は、ネジ谷部３４に沿って周方向に回転させることによって、ネジ３から外すことができる。抜け止めワッシャ１を回転させるとき、直線部分５０に指やペンチ等の工具を引っかけることができるから、これが空回りするのを防止することができる。特に、平行する一対の直線部分５０が外周１３に形成されている場合には、指で挟んでこれを回転させる場合であっても、工具を用いて回転させる場合であっても、抜け止めワッシャ１をより一層保持しやすく、ワッシャ１の空回りを防止することができる。
【００１９】
抜け止めワッシャ１は、その外周１３に指や工具を接触させてこれを回転させることができる。従来のように外周が円形の場合には、この外周に指や工具を接触させてもこれを回転させることは困難であるから、回転させようとした場合には、第１面および第２面を工具等で強く挟持することとなる。抜け止めワッシャ１は薄い板部材を使用することが多いので、これら面を強く挟持するとこれが変形し、外した後のワッシャを再利用することは不可能であった。この発明の抜け止めワッシャ１は、これを強く挟持しなくてもネジ３から外すことができるので、外した後のワッシャ１が変形し難い。しかも、外周１３を挟持することができるので、第１および第２面１１，１２を挟持する場合に比べて、ワッシャ１の変形を防止することができる。したがって、外した後の抜け止めワッシャ１を再利用することもできる。
【００２０】
抜け止めワッシャ１において、その外周１３を正六角形とすることによって、六角レンチ等の一般的な工具を使用することもできる。この場合には、より容易に抜け止めワッシャ１を回転させることができる。
【００２１】
図６は、この実施形態の他の例を示したものである。図示したように、この実施形態では、抜け止めワッシャ１の外周１３に互いに平行する直線部分５０を一対形成し、これら直線部分５０の間を曲線にしている。
【００２２】
図７は、この実施形態のまた他の例を示したものである。この実施形態では、抜け止めワッシャ１の外周１３を正三角形にすることによって、３つの直線部分５０を形成している。この場合には、互いに平行する直線部分は形成されないが、隣り合う直線部分５０に例えば親指と人差し指とを当てることによって、ワッシャ１を挟持することができる。
【００２３】
この発明において、端末孔１６が円形にされているが、長円形または楕円形にすることもできる。具体的には、短径が放射線状に延びるスリット１５と同方向、すなわち、径方向に延び、長径がこれと直交するように延びるように形成することができる。このように端末孔１６を形成することによって、スリット１５の終端１５ａの近傍においても、端末孔１６間の仮想線１８を短くすることができ、可撓領域１９の可撓性をより一層大きくすることができる。
【００２４】
直線部分５０は、その長さ寸法が等しくなるようにしているが、これが異なるようにしてもよい。この場合には、直線部分５０の長さが異なる種々の多角形に適宜変更することも可能である。また、角５１は、曲線にされているが、これに限られることなく互いに交差する直線によって形成されていてもよい。
【００２５】
抜け止めワッシャ１およびネジ３の寸法は、この実施形態に例示したものに限定されるものではなく、適宜変更可能である。例えば、端末孔１６については、スリット１５間の寸法を小さくして可撓性を大きくできるものであれば、その形状については種々選択可能である。また、スリット１５の本数も、この実施形態の本数に限ったものではなく、適宜変更可能である。外周においては、直線部分５０を少なくともひとつ含むものであればよく、その数に制限はない。
【００２６】
以上に記載したこの発明に関する開示は、少なくとも下記事項に要約することができる。
【００２７】
抜け止めワッシャ１は、第１面１１および前記第１面１１とは反対側の第２面１２と、前記第１面１１から前記第２面１２へと貫通する軸孔１４と、前記軸孔１４から外周１３に向かう径方向および前記径方向に交差する周方向と、前記軸孔１４から前記径方向外側に延びる複数のスリット１５とを含む。この発明の抜け止めワッシャ１の特徴は、前記外周１３は、直線部分５０を含み、前記スリット１５の前記径方向外側に位置する終端１５ａには、前記スリット１５の前記周方向の離間寸法よりも大きい寸法を有するとともに、前記第１面１１から前記第２面１２へと貫通する端末孔１６が形成されることである。前記スリット１５は、前記端末孔１６と前記軸孔１４との途中に、前記端末孔１６から前記軸孔１４へ向けて幅が拡がる拡幅部を有している。前記拡幅部は前記軸孔１４に隣接するように配置してある。前記軸孔１４と前記スリット１５とが前記拡幅部を介して連通するとともに、前記スリット１５と前記端末孔１６とが連通する。
【００２８】
この発明は、少なくとも下記の実施態様を含むことができる。
（１）スリット１５は、端末孔１６と軸孔１４との途中に、端末孔１６から軸孔１４へ向けて幅が拡がる拡幅部を有し、拡幅部は軸孔１４に隣接するように配置してある。
（２）第１面１１から第２面１２へと傾斜する傾斜部１７が軸孔１４に隣接するように形成され、スリット１５において、傾斜部１７を形成した部位のみに拡幅部を配置してある。
（３）複数の直線部分５０は、互いに等しい長さ寸法を有する。直線部分５０は、複数形成され、少なくとも互いに平行した一対の直線部分５０を含む。軸孔１４には、ネジ山部３３およびネジ谷部３４が形成された締結部材３の軸部３１が挿入され、軸孔３２の直径は、ネジ山部３３によって形成された外径および前記ネジ谷部３４によって形成された内径よりも小さい。
（４）端末孔１６は、径方向へ沿って延びる長円形または楕円形に形成してある。
【００２９】
この発明の明細書および特許請求の範囲において、用語「第１」および「第２」は、同様の要素、位置等を単に区別するために用いられている。抜け止めワッシャ１を構成する各構成部材には、この明細書に記載されている材料のほかに、この種の分野において通常用いられている、各種の公知の材料を制限なく用いることができる。
【符号の説明】
【００３０】
１    抜け止めワッシャ
１１    第１面
１２    第２面
１３    外周
１４    軸孔
１５    スリット
１５ａ  終端
１６    端末孔
１７    傾斜部
３    ネジ（締結部材）
３１    軸部
３３    ネジ山部
３４    ネジ谷部
５０    直線部分
５１    角
【図１】
0005651078.tif 000002
【図２】
0005651078.tif 000003
【図３】
0005651078.tif 000004
【図４】
0005651078.tif 000005
【図５】
0005651078.tif 000006
【図６】
0005651078.tif 000007
【図７】
0005651078.tif 000008